(57)【要約】【課題】カードを引き出すための摘み代を確保しつつ、カード全体をシールド可能なカードコネクタの提供。【解決手段】ハウジング３には、カード挿入部２の外側を覆う固定シールド部６と、カード挿入部２の前方に配置された移動可能な可動シールド部７とを備え、可動シールド部６は、カードＡのカード挿入部２の前面開口より突出した部分の上面を覆う可動天板部５０と、カードの突出した部分の側面を覆う可動側板部５１，５２と、可動天板部の前端縁に一体に支持された可動前端板部５３とを備えるとともに、固定シールド部６の前方にあって挿入されたカードＡの突出部分上面、両側面及び後端面を覆うシールド位置と、固定シールド部６の前方部より離脱してカード挿入部２に対してカードＡの挿抜が可能となるオープン位置との間で移動できるようにした。【選択図】図１
2015088301.tif 000002
【特許請求の範囲】
【請求項１】
前面開口よりカードが挿入されるカード挿入部を有するハウジングと、前記カード挿入部の内底面より突出して前記カード挿入部に挿入されたカードの片面に配置された信号伝達パッドと接触する導電性金属材製の複数のコンタクトとを備え、前記カードがその一部を前記カード挿入部前面開口より水平方向に突出させた状態に前記カード挿入部に挿入されるようにしたカードコネクタであって、
前記ハウジングには、前記カード挿入部の外側を覆う導電性金属材製の固定シールド部と、前記カード挿入部の前方に配置された移動可能な導電性金属材製の可動シールド部とを備え、
前記固定シールド部は、前記カード挿入部の上面を覆う固定天板部と、該固定底板部の側縁に一体に支持され、前記カード挿入部の側面を覆う固定側板部とを備え、
前記可動シールド部は、前記カードのカード挿入部前面開口より突出した部分の上面を覆う可動天板部と、該可動天板部の側縁に一体に支持されて前記カードのカード挿入部前面開口より突出した部分の側面を覆う可動側板部と、前記可動天板部の前端縁に一体に支持されて前記カードのカード挿入部前面開口より突出した部分の前端面を覆う可動前端板部とを備えるとともに、前記固定シールド部の前方にあって前記挿入されたカードの突出部分上面、両側面及び後端面を覆うシールド位置と、前記固定シールドの前方部より離脱して前記カード挿入部に対して前記カードの挿抜が可能となるオープン位置との間で移動できるようにしたことを特徴としてなるカードコネクタ。
【請求項２】
前記可動シールド部は、前記可動側板部の後端より後方に向けて延出した形状の回動アームを備え、該回動アームの後端が前記固定シールド部の固定側板部に枢支され、前記シールド位置と前記オープン位置との間で回動できるようにした請求項１に記載のカードコネクタ。
【請求項３】
前記可動天板部は、その前後幅が前記コンタクトの位置及び長さに整合し、且つ、誤って前記カード挿入部に挿入されることが想定される非正規カードの全長よりも狭くなるように形成してなる請求項１又は２に記載のカードコネクタ。
【請求項４】
前記ハウジングは、前記各固定側板部の前端より前方に延出した配置に一対の固定延出部を備えるとともに、該固定延出部と一体にばね状の弾性接続片を備え、前記可動シールド部の可動側板部が前記シールド位置において前記弾性接続片と弾性的に接触するようにした請求項１〜３の何れか１項に記載のカードコネクタ。
【請求項５】
前記ハウジングは、前記カード挿入部の前方に前記カードのカード挿入部前面開口より突出した部分の下面を覆う下面シールド部を前記固定シールドと一体に備えた請求項１〜４の何れか１項に記載のカードコネクタ。
【請求項６】
前記下面シールド部は、前記各固定延出部の下縁より水平方向内側に折り曲げた形状に形成され、互いに端縁が突き合わされる一対の下面シールド板を備え、該両下面シールド板で前記カードのカード挿入部前面開口より突出した部分の下面を覆うようにした請求項５に記載のカードコネクタ。
【発明の詳細な説明】
【技術分野】
【０００１】
本発明は、ＩＣカードやフラッシュメモリーカード等のカードを携帯電話機やスマートフォン等の電子機器に搭載されたプリント配線基板に接続するためのカードコネクタに関する。
【背景技術】
【０００２】
従来、携帯電話機やスマートフォン等の電子機器の外部記憶媒体としてＩＣカードやフラッシュメモリーカード等のカードが使用されており、このカードと電子機器に搭載されたプリント配線基板とをカードコネクタを介して電気的に接続させている。
【０００３】
この種のカードコネクタは、ＩＣカード等のカードが挿入されるカード挿入部を有するハウジングと、カード挿入部の底部より突出させた弾性接触片を有する導電性金属板材からなる複数のコンタクトとを備え、カードをカード挿入部に挿入することで、カードの片面側に形成された信号伝達端子（パッド）が対応するコンタクトの弾性接触片と接触し、プリント配線基板とカードとを電気的に接続させるようになっている。
【０００４】
また、この種のカードコネクタにおいては、ハウジングを絶縁合成樹脂製のモールド部材と、モールド部材の外側を覆う導電性金属材製のシールドカバーとを組み合せて構成し、シールドカバーによって電磁ノイズを遮蔽し、カード使用時にカードより生ずる電磁波がプリント配線基板に実装された他の電子部品に及ぼす影響を軽減するようにしたものが知られている（例えば、特許文献１を参照）。
【０００５】
一方、この種のカードコネクタにおいては、シールドカバーの一部又は全部のカード挿抜方向の全長をカードの全長より短く形成し、カードをハウジングに挿入した状態においてカードの後端をカード挿入部の開口より突出させた状態に露出させ、その露出した部分を摘まむなりしてカードをハウジングより引き出せるようにした、所謂Ｐｕｓｈ−Ｐｕｌｌ（プッシュ−プル）方式のものが知られている（例えば、特許文献２を参照）。
【０００６】
このＰｕｓｈ−Ｐｕｌｌ方式のカードコネクタでは、カードをカード挿入部の開口より突出させた状態に露出させ、その露出した部分を摘み代とし、その摘み代を摘まむなりしてハウジングよりカードを引き出せるようにしたことにより、特殊なカード取出し機構を備える必要が無く、その分、カードコネクタの小型化及び低廉化を図ることができるという利点があった。
【先行技術文献】
【特許文献】
【０００７】
【特許文献１】特開２００５−１３５６６７号公報
【特許文献２】特開２０１３−５４８８５号公報
【発明の概要】
【発明が解決しようとする課題】
【０００８】
しかしながら、上述の如き従来のカードコネクタでは、カードを挿抜するために常にカード挿入部の後端部を開口させた状態にしておかなくてはならず、その為、カードの後端面をシールドすることができなかった。
【０００９】
また、従来のカードコネクタでは、カードの前端部分がカード挿入部前面開口より水平に突出した状態に露出している場合、カードの露出した部分より発せられる電磁波をシールドカバーによって完全に遮蔽することができず、その電磁波がプリント配線基板に実装された他の電子部品に影響を及ぼす虞があった。
【００１０】
特に、上述した従来のＰｕｓｈ-Ｐｕｌｌ方式のカードコネクタにおいては、カードを引き出すための摘み代を確保するため、ある程度カード後端部をカード挿入部の開口部より突出させた状態に露出させなければならず、その露出した部分（摘み代）から漏れる電磁波が問題となる虞があった。
【００１１】
一方、従来のカードコネクタでは、適応する正規カードよりもサイズの小さな非正規カードが誤ってカード挿入部に挿入されてしまった場合、その非正規カード全体がシールドカバーに覆われてしまうため、カードを引き出すための摘み代が失われ、取り出すのが困難であるという問題もあった。
【００１２】
そこで、本発明は、このような従来の問題に鑑み、カードを引き出すための摘み代を確保しつつ、カード全体をシールド可能なカードコネクタの提供を目的としてなされたものである。
【課題を解決するための手段】
【００１３】
上述の如き従来の問題を解決するための請求項1に記載の発明の特徴は、前面開口よりカードが挿入されるカード挿入部を有するハウジングと、前記カード挿入部の内底面より突出して前記カード挿入部に挿入されたカードの片面に配置された信号伝達パッドと接触する導電性金属材製の複数のコンタクトとを備え、前記カードがその一部を前記カード挿入部前面開口より水平方向に突出させた状態に前記カード挿入部に挿入されるようにしたカードコネクタであって、前記ハウジングには、前記カード挿入部の外側を覆う導電性金属材製の固定シールド部と、前記カード挿入部の前方に配置された移動可能な導電性金属材製の可動シールド部とを備え、前記固定シールド部は、前記カード挿入部の上面を覆う固定天板部と、該固定底板部の側縁に一体に支持され、前記カード挿入部の側面を覆う固定側板部とを備え、前記可動シールド部は、前記カードのカード挿入部前面開口より突出した部分の上面を覆う可動天板部と、該可動天板部の側縁に一体に支持されて前記カードのカード挿入部前面開口より突出した部分の側面を覆う可動側板部と、前記可動天板部の前端縁に一体に支持されて前記カードのカード挿入部前面開口より突出した部分の前端面を覆う可動前端板部とを備えるとともに、前記固定シールド部の前方にあって前記挿入されたカードの突出部分上面、両側面及び後端面を覆うシールド位置と、前記固定シールドの前方部より離脱して前記カード挿入部に対して前記カードの挿抜が可能となるオープン位置との間で移動できるようにしたカードコネクタにある。
【００１４】
請求項２に記載の発明の特徴は、請求項１の構成に加え、前記可動シールド部は、前記可動側板部の後端より後方に向けて延出した形状の回動アームを備え、該回動アームの後端が前記固定シールド部の固定側板部に枢支され、前記シールド位置と前記オープン位置との間で回動できるようにしたことにある。
【００１５】
請求項３に記載の発明の特徴は、請求項１又は２の構成に加え、前記可動天板部は、その前後幅が前記コンタクトの位置及び長さに整合し、且つ、誤って前記カード挿入部に挿入されることが想定される非正規カードの全長よりも狭くなるように形成してなることにある。
【００１６】
請求項４に記載の発明の特徴は、請求項１〜３の何れか１項の構成に加え、前記ハウジングは、前記各固定側板部の前端より前方に延出した配置に一対の固定延出部を備えるとともに、該固定延出部と一体にばね状の弾性接続片を備え、前記可動シールド部の可動側板部が前記シールド位置において前記弾性接続片と弾性的に接触するようにしたことにある。
【００１７】
請求項５に記載の発明の特徴は、請求項１〜４の何れか１項の構成に加え、  前記ハウジングは、前記カード挿入部の前方に前記カードのカード挿入部前面開口より突出した部分の下面を覆う下面シールド部を前記固定シールドと一体に備えたことにある。
【００１８】
請求項６に記載の発明の特徴は、請求項５の構成に加え、前記下面シールド部は、前記各固定延出部の下縁より水平方向内側に折り曲げた形状に形成され、互いに端縁が突き合わされる一対の下面シールド板を備え、該両下面シールド板で前記カードのカード挿入部前面開口より突出した部分の下面を覆うようにしたことにある。
【発明の効果】
【００１９】
本発明に係るカードコネクタは、上述したように、前面開口よりカードが挿入されるカード挿入部を有するハウジングと、前記カード挿入部の内底面より突出して前記カード挿入部に挿入されたカードの片面に配置された信号伝達パッドと接触する導電性金属材製の複数のコンタクトとを備え、前記カードがその一部を前記カード挿入部前面開口より水平方向に突出させた状態に前記カード挿入部に挿入されるようにしたカードコネクタであって、前記ハウジングには、前記カード挿入部の外側を覆う導電性金属材製の固定シールド部と、前記カード挿入部の前方に配置された移動可能な導電性金属材製の可動シールド部とを備え、前記固定シールド部は、前記カード挿入部の上面を覆う固定天板部と、該固定底板部の側縁に一体に支持され、前記カード挿入部の側面を覆う固定側板部とを備え、前記可動シールド部は、前記カードのカード挿入部前面開口より突出した部分の上面を覆う可動天板部と、該可動天板部の側縁に一体に支持されて前記カードのカード挿入部前面開口より突出した部分の側面を覆う可動側板部と、前記可動天板部の前端縁に一体に支持されて前記カードのカード挿入部前面開口より突出した部分の前端面を覆う可動前端板部とを備えるとともに、前記固定シールド部の前方にあって前記挿入されたカードの突出部分上面、両側面及び後端面を覆うシールド位置と、前記固定シールドの前方部より離脱して前記カード挿入部に対して前記カードの挿抜が可能となるオープン位置との間で移動できるようにしたことにより、カード挿抜時においてはカードの摘み代を十分確保し容易にカードの挿抜作業を行え、カード使用時においてはカード全体をシールドすることができる。
【００２０】
また、本発明において、前記可動シールド部は、前記可動側板部の後端より後方に向けて延出した形状の回動アームを備え、該回動アームの後端が前記固定シールド部の固定側板部に枢支され、前記シールド位置と前記オープン位置との間で回動できるようにしたことにより、可動シールド部をシールド位置とオープン位置とを好適に切り替えることができる。
【００２１】
更に、本発明において、前記可動天板部は、その前後幅が前記コンタクトの位置及び長さに整合し、且つ、誤って前記カード挿入部に挿入されることが想定される非正規カードの全長よりも狭くなるように形成してなることにより、カード挿入部に正規のカードよりサイズの小さな非正規カードが挿入された場合であっても、非正規カードを引き抜くための十分な摘み代を確保することができ、容易に非正規カードを取り出すことができる。
【００２２】
更に、本発明において、前記ハウジングは、前記各固定側板部の前端より前方に延出した配置に一対の固定延出部を備えるとともに、該固定延出部と一体にばね状の弾性接続片を備え、前記可動シールド部の可動側板部が前記シールド位置において前記弾性接続片と弾性的に接触するようにしたことにより、固定シールド部と可動シールド部とを確実に電気的に接続させ、高いシールド効果を発揮することができる。
【００２３】
更にまた、本発明において、前記ハウジングは、前記カード挿入部の前方に前記カードのカード挿入部前面開口より突出した部分の下面を覆う下面シールド部を前記固定シールドと一体に備えたことにより、カード下面からの電磁波（ノイズ）の漏出を防止し、他の電子機器への影響を抑止することができる。
【００２４】
また、本発明において、前記下面シールド部は、前記各固定延出部の下縁より水平方向内側に折り曲げた形状に形成され、互いに端縁が突き合わされる一対の下面シールド板を備え、該両下面シールド板で前記カードのカード挿入部前面開口より突出した部分の下面を覆うようにしたことにより、固定シールド部、固定延出部及び下面シールド部をプレス加工により一体成形することができ、コストの低減を図ることができる。
【図面の簡単な説明】
【００２５】
【図１】本発明に係るカードコネクタの一例を示す斜視図である。
【図２】同上のカードコネクタの下側見た斜視図である。
【図３】同上のカードコネクタであって、可動シールド部をオープン位置に移動させた状態を示す斜視図である。
【図４】図１中のモールド部材を示す斜視図である。
【図５】本発明に係るカードコネクタに正規のカードを挿入した状態を示す平面図であって、可動シールド部をオープン位置とした図である。
【図６】同上のカードコネクタに非正規のカードを挿入した状態を示す平面図であって、可動シールド部をオープン位置とした図である。
【図７】本発明に係るカードコネクタに正規のカードを挿入した状態を示す縦断面図であって、可動シールド部をシールド位置とした図である。
【発明を実施するための形態】
【００２６】
次に、本発明に係るカードコネクタの実施態様を図１〜図７に示す実施例に基づいて説明する。図中符号１はカードコネクタ、符号Ａはカードコネクタ１に適応したカードである。尚、本実施例においては、カード挿入方向手前側を前とし、奥側を後として説明する。
【００２７】
カードコネクタ１は、前面開口よりカードＡが挿入されるカード挿入部２を有するハウジング３と、カード挿入部２の内底面より突出した導電性金属材製の複数のコンタクト４，４...とを備え、カード挿入部２にカードＡを挿入することにより、各コンタクト４，４...がカードＡの片面に配置された対応する信号伝達パッドａ１，ａ１...と接触することによりカードＡとカードコネクタ１が実装された接続基板とを電気的に接続するようになっている。
【００２８】
また、このカードコネクタ１は、カード挿入部２に対し、カードＡがその一部をカード挿入部２の前面開口より水平方向に突出させた状態に挿入され、その突出部分を摘み代としてカードＡを挿抜するようにした所謂Ｐｕｓｈ−Ｐｕｌｌ（プッシュ‐プル）方式となっている。
【００２９】
尚、ここで摘み代Ａａとは、カードＡのカード挿入部２前面開口より突出した部分であって、カードＡの挿抜作業時において、作業者の指先が直接カードＡに触れてカードＡに対し力を作用させることができる部分をいうものとする。
【００３０】
ハウジング３は、絶縁性合成樹脂材製のモールド部材５と、導電性金属板材製の固定シールド部６と、固定シールド部６の前方に配置された移動可能な導電性金属板材製の可動シールド部７とを備え、固定シールド部６内にモールド部材５を組み込むことにより前面に開口したカード挿入部２が形成され、カードＡがその一部、即ち前半部をカード挿入部２の前面開口より水平方向に突出させた状態にカード挿入部２に挿入されるようになっている。
【００３１】
また、このハウジング３では、可動シールド部７が、固定シールド部６の前方にあって挿入されたカードＡのカード挿入部２前面開口より突出した部分の上面、両側面及び後端面を覆うシールド位置と、固定シールド部６の前方部より離脱してカード挿入部２に対してカードＡの挿抜が可能となるオープン位置との間で移動できるようになっている。
【００３２】
モールド部材５は、図４に示すように、絶縁性合成樹脂材により横長直方体状に形成され、平板状の底板部１０と、底板部１０の左右側部に配置された側壁部１１，１２と、底板部１０の後縁より立ち上げた形状の後壁部１３とを備え、底板部１０上に両側壁部１１，１２及び後壁部１３に囲まれて前面及び上面が開口した凹み状のカード挿入部２が形成されている。
【００３３】
また、このモールド部材５には、底板部１０にインサート成形によって前後方向に向けた複数のコンタクト４，４...がコネクタ幅方向に並べて組み込まれ、各コンタクト４，４...がカード挿入部２の内底面より突出し、挿入されたカードＡの片面奥側に配列された対応する各信号伝達パッドａ１，ａ１...と接触するようになっている。
【００３４】
各コンタクト４，４...は、弾性を有する導電性金属板材を打ち抜き・折り曲げ加工することにより形成され、底板部１０に形成された矩形状の開口部１４の前後内縁部にそれぞれ端部が埋設され、開口部１４の前後内縁に架け渡した配置に底板部１０に組み込まれた固定片２０と、一端が固定片２０の前端部に一体に支持されて片持ちへの字状の弾性接触片２１と、固定片２０の他方の端部より延出した形状に形成された基板接続片２２とを備え、弾性接触片２１のへの字状頂部が接点２１ａを成し、挿入されたカードＡの表面に押圧されて弾性接触片２１が弾性変形し、接点２１ａが対応する信号伝達パッドａ１，ａ１...と接触するようになっている。
【００３５】
尚、図中符号２３は、カード検出用スイッチであって、カードＡがカード挿入部２に挿入された際、カードＡの外周面に押圧されてスイッチ端子が弾性変形し、それに伴いスイッチのオン・オフ状態が切り替わるようになっている。
【００３６】
固定シールド部６は、導電性金属板材をプレス加工することにより形成され、カード挿入部２の上面を覆う固定天板部３０と、固定天板部３０の両側縁に一体に支持された鉛直下向きに折り曲げた形状の両固定側板部３１，３２と、固定天板部３０の後縁に一体に支持された鉛直下向きに折り曲げた形状の固定後端板部３３とを備え、カード挿入部２を含むモールド部材５の上面、両側面及び後端面を覆い、固定天板部３０がカード挿入部２の上面を閉鎖するようになっている。
【００３７】
固定天板部３０は、矩形平板状に形成され、且つ、その前後幅ｗがカードＡの全長に比して十分に短くなるように形成され、図５に示すように、カード挿入部２に対しカードＡは、その一部、即ち、前半部をカード挿入部２の前面開口より前方に向けて水平に突出させた状態に挿入され、カード挿抜時における十分な摘み代Ａａが確保されるようになっている。
【００３８】
一方、この固定天板部３０は、図３に示すように、その前後幅ｗがコンタクト４，４...の位置及び長さに整合し、且つ、カード挿入部２に誤って挿入されることが想定される非正規カードＢの全長よりも短くなるように形成されることが好ましく、その場合、図６に示すように、非正規カードＢが誤ってカード挿入部２に挿入されても、非正規カードＢを引き出すために必要な摘み代Ｂａが確保できる。
【００３９】
ここで、固定天板部３０の前後幅ｗがコンタクト４，４...の位置及び長さに整合するとは、コンタクト４，４...の位置及び長さによって定まるコンタクト４，４...群が底板部１０上に占める一定の範囲に固定天板部３の前後幅ｗを合わせることを言う。
【００４０】
より詳しくは、固定天板部３０の前後幅ｗを、カード挿入部２に挿入されたカードＡの片面が固定天板部３０に当接して反力を取り、カードＡに対してコンタクト４，４...が一定の接触圧で安定して接触するに足る幅とすることをいい、例えば、信号伝達パッドａ１，ａ１...が後端部に配列されているカードＡにおいては、固定天板部３０の前後幅ｗがカードＡ後半部上面のみを覆うことができる幅であればよい。
【００４１】
尚、非正規カードＢは、例えば、ＩＣカードであって、カード全幅に比してカード全長が長い矩形状に形成され、その全長が正規のカードＡの全長より短く形成されている。
【００４２】
各固定側板部３１，３２は、細長矩形状に形成され、その外側面に絞り加工により外向きに突出した枢支軸３４が一体に突設され、この枢支軸３４に後述する可動シールド部７の回動アーム５４，５４が枢支されるようになっている。
【００４３】
また、各固定側板部３１，３２には、固定用係合孔３５が形成され、モールド部材５の両側面に突設された固定用係合突起３６が固定用係合孔３５と互いに係合することにより、固定シールド部６内にモールド部材５が固定されるようになっている。
【００４４】
また、固定シールド部６には、固定天板部３０の後端両側部に固定シールド基板接続部３７が一体に備えられ、この固定シールド基板接続部３７を実装基板に形成されたグランド用パターンに半田付けすることにより、カードコネクタ１が実装基板に固定されるとともに、固定シールド部６を接地できるようになっている。
【００４５】
各固定シールド基板接続部３７は、固定天板部３０の後端縁より鉛直下向きに折り曲げた形状の支持片３７ａと、支持片３７ａの下縁より水平外向きに折り曲げた形状の実装片３７ｂとを備え、実装片３７ｂを実装基板に形成されたグランド用パターンに半田付けするようになっている。
【００４６】
また、ハウジング３は、固定側板部３１，３２の前端より前方に延出した配置に一対の固定延出部４０，４０を固定シールド部６と一体に備えるとともに、カード挿入部２の前方に配置される下面シールド部４１を固定シールド部６と一体に備え、下面シールド部４１によりカード挿入部２に挿入されたカードＡのカード挿入部２前面開口より突出した部分の下面を覆うようになっている。
【００４７】
この両固定延出部４０，４０及び下面シールド部４１は、固定シールド部６と共に同一の導電性金属板材をプレス加工することにより一体に形成される。
【００４８】
固定延出部４０，４０は、固定側板部３１，３２の前端に一体に支持された内側延出板４２と、内側延出板４２の上縁より外側に折り返した形状の外側延出板４３とをもって構成されている。
【００４９】
また、ハウジング部３には、固定延出部４０と一体にばね状の弾性接続片４４，４４...を備え、この弾性接続片４４，４４...は、内側延出板４２に一体に支持されて外向きに突出したばね状を成すことにより固定延出部４０と一体に形成され、可動シールド部７の内側面がシールド位置において弾性接触するようになっている。
【００５０】
この弾性接続片４４，４４...は、内側延出板４２及び外側延出板４３に亘って縦向きスリット状の切れ込みを入れることにより形成され、一端が内側延出板４２に一体に支持された逆Ｕ字ばね状を成し、他端に円弧状の接点部４４ａが一体に形成されている。
【００５１】
下面シールド部４１は、各固定延出部４０，４０の下縁より水平方向内側に折り曲げた形状に形成され、互いに端縁が突き合わされる一対の下面シールド板４５，４５を備え、両固定延出部４０，４０と両下面シールド板４５，４５とによって、カード挿入部２の前方にカードＡの突出部分が嵌り込む凹状に形成されている。
【００５２】
各下面シールド板４５，４５は、互いに突き合わされる接合端部にそれぞれ嵌合凸部４６及び嵌合凹部４７が形成され、互いの嵌合凸部４６と嵌合凹部４７とを嵌め合わせることにより両下面シールド板４５，４５が強固に接合されるようになっている。
【００５３】
また、各下面シールド板４５，４５には、側縁部に下面シールド基板接続部４８，４８...を備え、この下面シールド基板接続部４８，４８...を実装基板に形成されたグランド用パターンに半田付けすることにより、カードコネクタ１が実装基板に固定されるとともに、下面シールド部４１を接地できるようになっている。
【００５４】
尚、下面シールド基板接続部４８，４８...は、例えば、下面シールド板４５，４５の側縁部にコ字状の切れ目を入れることにより形成される。
【００５５】
可動シールド部７は、導電性金属板材をプレス加工することにより形成され、平板状の可動天板部５０と、可動天板部５０の両側縁に一体に支持された鉛直下向きに折り曲げた形状の可動側板部５１，５２と、可動天板部５０の前縁に一体に支持された鉛直下向きに折り曲げた形状の可動前端板部５３とを備え、後面及び下面が開口した中空箱状を成している。
【００５６】
また、可動シールド部７には、可動側板部５１，５２の後端より後方に向けて延出した形状の回動アーム５４，５４を備え、回動アーム５４，５４の後端が固定シールド部６の固定側板部３１，３２に枢支され、シールド位置と前記オープン位置との間で回動できるようにしている。
【００５７】
回動アーム５４，５４は、可動側板部５１，５２と一体に形成された基部５５と、基部５５の下縁より外側に折り返した形状の補強部５６とからなる二重構造を成し、高い強度を確保している。
【００５８】
また、基部５５の端部には、枢支孔５７が形成され、この枢支孔５７に固定側板部３１，３２に突設された枢支軸３４が挿入され、固定側板部３１，３２に回動アーム５４，５４を介して可動シールド部７が回動可能に軸支されるようになっている。
【００５９】
一方、両可動側板部５１，５２には、前端部に仮固定用孔５８が形成され、シールド位置においてこの仮固定用孔５８に手前側の弾性接続片４４の接点部４４ａが嵌り込むことにより、可動シールド部７を固定延出部４０，４０に仮固定した状態、所謂ハーフロック状態とすることができる。
【００６０】
尚、このハーフロック状態は、一定以上の力で可動シールド部７を回動させることにより解除できるようになっている。
【００６１】
このように構成されたカードコネクタ１では、図３に示すように、可動シールド部７を回動させてオープン位置に移動させることにより、カード挿入部２の前面開口が露出し、カード挿入部２に対してカードＡを挿抜することができる。
【００６２】
その際、カード挿入部２に挿入されたカードＡは、その一部、即ち、前半部がカード挿入部２の前面開口より水平に突出した状態にあるので、その突出部分を摘み代ＡａとしてカードＡを容易に挿抜することができる。
【００６３】
また、固定天板部３０の前後幅ｗは、非正規カードＢよりも短く形成されているので、カード挿入部２に対して非正規カードＢが誤って挿入された場合であっても、非正規カードＢの前端部がカード挿入部２の前面開口より水平方向に突出した状態となり、その突出部分を摘み代Ｂａとして容易に非正規カードＢをカードコネクタ１より取出すことができる。
【００６４】
一方、図７に示すように、可動シールド部７を回動させてシールド位置に移動させることにより、固定シールド部６、可動シールド部７及び下面シールド部４１によって、カードＡ全面が覆われる。
【００６５】
そして、可動シールド部７の可動側板部５１，５２の内面が固定延出部４０，４０の外側に嵌り込み、弾性接続片４４，４４...が可動側体部の内側面に弾性接触して固定シールド部６と、可動シールド部７とが電気的に接続され、カードＡより発せられる電磁波（ノイズ）を漏れなく遮蔽できるようになる。
【００６６】
また、弾性接続片４４の接点部４４ａが仮固定用孔５８に嵌り込み、可動シールド部７がハーフロックされた状態となる。
【００６７】
また、カード挿入部２にカードＡが挿入された状態においては、可動シールド部７をシールド位置とすることにより、可動後端板部によってカードＡの抜け出し方向の移動が規制され、可動天板部５０によってカードＡ後端側の浮き上がりが規制されるので、カードＡに対するコンタクト４，４...の安定した接触状態が維持されるようになっている。
【００６８】
尚、上述の実施例においては、可動シールド部７に回動アーム５４，５４を備え、回動アーム５４，５４を固定シールド部６に軸支させることにより前後方向に回動し、シールド位置とオープン位置との間で移動できるようにした例について説明したが、可動シールド部７の態様は、上記実施例に限定されず、例えば、固定天板部３０と可動天板部５０とに跨った蝶番を備え、当該蝶番を介して可動シールド部７が前後方向に回動できるようにしたものであってもよく、可動シールド部７を固定延出部４０，４０に枢支させ、横方向に回動するようにしたものであってもよい。
【００６９】
更には、可動シールド部７を固定シールド部６に対し着脱可能とし、可動シールド部７の着脱によりシールド位置とオープン位置との切替えをするようにしてもよい。
【００７０】
また、本発明に係るカードコネクタ１は、カードＡの態様が小型フラッシュメモリーカードに限定されず、その他の各規格のカードに適用することができる。
【００７１】
更にまた、上述の実施例では、カードコネクタ１を所謂プッシュ‐プル方式とした例について説明したが、カードコネクタは、これに限定されず、その他の取出し機構を採用した方式にも適用することができる。
【符号の説明】
【００７２】
Ａ  カード（正規）
Ｂ  非正規カード
１  カードコネクタ
２  カード挿入部
３  ハウジング
４  コンタクト
５  モールド部材
６  固定シールド部
７  可動シールド部
１０  底板部
１１，１２  側壁部
１３  後壁部
１４  開口部
２０  固定片
２１  弾性接触片
２２  基板接続片
２３  カード検出用スイッチ
３０  固定天板部
３１，３２  固定側板部
３３  固定後端板部
３４  枢支軸
３５  固定用係合孔
３６  固定用係合突起
３７  固定シールド基板接続部
４０  固定延出部
４１  下面シールド部
４２  内側延出板
４３  外側延出板
４４  弾性接続片
４５  下面シールド板
４６  嵌合凸部
４７  嵌合凹部
４８  下面シールド基板接続部
５０  可動天板部
５１，５２  可動側板部
５３  可動前端板部
５４  回動アーム
５５  基部
５６  補強部
５７  枢支孔
５８  仮固定用孔
【図１】
2015088301.tif 000003
【図２】
2015088301.tif 000004
【図３】
2015088301.tif 000005
【図４】
2015088301.tif 000006
【図５】
2015088301.tif 000007
【図６】
2015088301.tif 000008
【図７】
2015088301.tif 000009